(57)【特許請求の範囲】
【請求項１】
潜熱蓄熱材と、該潜熱蓄熱材を裏面に収納する収納凹部が形成された壁用基材と、前記潜熱蓄熱材を前記収納凹部に封止するように前記収納凹部の開口部を覆う裏面材と、を少なくとも備えた蓄熱壁パネルであって、
前記蓄熱壁パネルを配置した配置状態で、前記蓄熱壁パネルの上側の収納凹部の深さが、前記蓄熱壁パネルの下側の収納凹部の深さよりも深くなるように、前記収納凹部の底面が、前記壁用基材の裏面に対して傾斜していることを特徴とする蓄熱壁パネル。
【請求項２】
潜熱蓄熱材と、該潜熱蓄熱材を裏面に収納する収納凹部が形成された壁用基材と、前記潜熱蓄熱材を前記収納凹部に封止するように前記収納凹部の開口部を覆う裏面材と、を少なくとも備えた蓄熱壁パネルであって、
前記蓄熱壁パネルを配置した配置状態で、前記収納凹部の前記開口部の面積を上下に二等分するように、前記収納凹部の深さ方向に沿って延在した仮想平面を設定し、該仮想平面により前記収納凹部の収納空間を区分したときに、
前記仮想平面よりも上側の収納空間が、前記仮想平面よりも下側の収納空間よりも大きくなるように、前記収納凹部が形成されていることを特徴とする蓄熱壁パネル。
【請求項３】
前記蓄熱壁パネルの前記配置状態で、前記蓄熱壁パネルの上側の収納凹部の深さが、前記蓄熱壁パネルの下側の収納凹部の深さよりも深くなるように、前記収納凹部の底面が、前記壁用基材の裏面に対して傾斜していることを特徴とする請求項２に記載の蓄熱壁パネル。
【請求項４】
潜熱蓄熱材と、該潜熱蓄熱材を裏面に収納する収納凹部が形成された壁用基材と、前記潜熱蓄熱材を前記収納凹部に封止するように前記収納凹部の開口部を覆う裏面材と、を少なくとも備えた蓄熱壁パネルであって、
前記蓄熱壁パネルを配置した配置状態で、前記収納凹部は、前記収納凹部の収納空間の少なくとも一部を、前記収納凹部の深さ方向に沿って延在した仮想平面で切断した切断面の面積が、前記収納凹部の上側から下側に向かって減少するように、形成されていることを特徴とする蓄熱壁パネル。
【請求項５】
前記潜熱蓄熱材は、前記収納凹部を充填するように、溶融状態の潜熱蓄熱材を流し込んで、凝固させたものであることを特徴とする請求項１〜４のいずれかに記載の蓄熱壁パネル。
【請求項６】
前記蓄熱壁パネルの前記配置状態で、前記収納凹部を形成する壁面のうち、前記収納凹部の開口部の下側の周縁部から連続して形成される下側壁面は、前記壁用基材の裏面に対して傾斜していることを特徴とする請求項１〜５のいずれかに記載の蓄熱壁パネル。
【請求項７】
前記収納凹部は、前記壁用基材の裏面に複数形成されていることを特徴とする請求項１〜６のいずれかに記載の蓄熱壁パネル。
【請求項８】
前記壁用基材の表面には、前記収納凹部から外れた位置に、前記蓄熱壁パネルを固定するための固定用目印が設けられていることを特徴とする請求項１〜７のいずれかに記載の蓄熱壁パネル。
【発明の詳細な説明】
【技術分野】
【０００１】
本発明は、潜熱蓄熱材を利用した蓄熱壁パネルに関する。
【背景技術】
【０００２】
従来から、このような床材、壁材などの建材の技術分野において、室内暖房時に発生する熱エネルギや、日射光などの自然エネルギをより有効に活用するような研究・開発が盛んに取り組まれており、これらの研究・開発に基づいた省エネおよびエコ対策が講じられている。
【０００３】
このような点を鑑みて、近年では、蓄熱材を用いた建材の開発がなされている。ここで、蓄熱材として、融点（相変化温度）以上の温度で蓄熱することができる潜熱蓄熱材が注目されており、この潜熱蓄熱材を利用した様々な建材が提案されている。
【０００４】
ここで、潜熱蓄熱材は、建材である基材に形成された収納凹部に収納されて、用いられることが多い。潜熱蓄熱材は、潜熱蓄熱材が温度に応じた相変化により、溶融時に熱膨張し、凝固時に熱収縮することから、熱収縮時に収納凹部の壁面（主に底面）との間に隙間が形成されることがある。この隙間により、潜熱蓄熱材とこれを収納する基材との間の熱伝達が阻害されることがあった。
【０００５】
このような点を鑑みて、たとえば、特許文献１には、裏面に収納凹部が形成された床用基材と、床用基材の収納凹部に収納される容器に充填された潜熱蓄熱材と、潜熱蓄熱材を収納凹部の底面に押し付けるように潜熱蓄熱材を付勢するクッション材と、を備えた蓄熱床材（蓄熱床パネル）が提案されている。
【０００６】
この蓄熱床材によれば、凝固時に熱収縮したとしても、クッション材が潜熱蓄熱材を収納凹部の底面に押し付けているので、潜熱蓄熱材と収納凹部の底面との間に隙間が発生することを抑えることができる。これにより、蓄熱床材からの効率的に収納凹部の底面から潜熱蓄熱材に効率的に伝えることができる。
【先行技術文献】
【特許文献】
【０００７】
【特許文献１】特開２０１２−０７７４９２号公報
【発明の概要】
【発明が解決しようとする課題】
【０００８】
しかしながら、特許文献１に係る技術を壁材（蓄熱壁パネル）に適用した場合に、クッション材の自重による位置ずれ、クッション材の劣化等の影響により、継続してクッション材で潜熱蓄熱材を基材（壁用基材）に付勢することが難しいことがある。これにより、壁用基材と潜熱蓄熱材との間に隙間が形成され、潜熱蓄熱材への熱伝達が阻害されるおそれがある。また、クッション材を収納凹部に収納するため、収納凹部に収納する潜熱蓄熱材の量も制約されるため、壁パネルの蓄熱性が制限されてしまう。
【０００９】
本発明は、このような点を鑑みてなされたものであり、その目的とするところは、収納凹部の大きさに応じた潜熱蓄熱材による蓄熱性を発揮することができるとともに、潜熱蓄熱材への熱伝達を向上させることができる蓄熱壁パネルを提供することにある。
【課題を解決するための手段】
【００１０】
発明者らは、鋭意検討を重ねた結果、潜熱蓄熱材が溶融した状態では流動しやすく、潜熱蓄熱材の自重による流動、および、潜熱蓄熱材の凝固時の熱収縮等を考慮して、収納凹部の形状を設定すれば、潜熱蓄熱材への熱伝達性を高めることができると考えた。
【００１１】
以下に示す第１〜第３の発明は、発明者らのこのような考えに基づくものであり、第１の発明に係る蓄熱壁パネルは、潜熱蓄熱材と、該潜熱蓄熱材を裏面に収納する収納凹部が形成された壁用基材と、前記潜熱蓄熱材を前記収納凹部に封止するように前記収納凹部の開口部を覆う裏面材と、を少なくとも備えた蓄熱壁パネルであって、前記蓄熱壁パネルを配置した配置状態で、前記蓄熱壁パネルの上側の収納凹部の深さが、前記蓄熱壁パネルの下側の収納凹部の深さよりも深くなるように、前記収納凹部の底面が、前記壁用基材の裏面に対して傾斜していることを特徴とする。
【００１２】
第１発明によれば、蓄熱壁パネルを配置した状態で、収納凹部の底面が前記の如く傾斜しているので、収納凹部の上側の収納空間は下側の収納空間に比べて大きくなり、上側の収納空間は、下側の収納空間に比べて、潜熱蓄熱材の収納体積が大きくなる。これにより、溶融した潜熱蓄熱材が凝固したときに、潜熱蓄熱材の熱収縮により潜熱蓄熱材と収納凹部との間に形成される上側の隙間は、傾斜した底面を設けていないものに比べて小さくなる。このような結果、潜熱蓄熱材と収納凹部の底面との接触面積、潜熱蓄熱材と裏面材との接触面積を、傾斜した底面を設けていないものに比べて、より大きく確保することができるので、潜熱蓄熱材への熱伝達性を高め、その蓄熱性を向上させることができる。
【００１３】
さらに、溶融した潜熱蓄熱材が凝固する際には、収納凹部の上側の収納空間の潜熱蓄熱材に比べて、下側の収納空間の潜熱蓄熱材が先に凝固し、最後に収納体積の大きい上側の収納空間の潜熱蓄熱材が凝固する。このような結果、下側から上側に向かって順に、潜熱蓄熱材は、収納凹部の底面および裏面材と接触しながら凝固するので、潜熱蓄熱材の凝固時にこれが熱収縮したとしても、潜熱蓄熱材と、収納凹部の底面および裏面材との接触面積が減少することを抑えることができる。
【００１４】
第２の発明に係る蓄熱壁パネルは、潜熱蓄熱材と、該潜熱蓄熱材を裏面に収納する収納凹部が形成された壁用基材と、前記潜熱蓄熱材を前記収納凹部に封止するように前記収納凹部の開口部を覆う裏面材と、を少なくとも備えた蓄熱壁パネルであって、前記蓄熱壁パネルを配置した配置状態で、前記収納凹部の前記開口部の面積を上下に二等分するように、前記収納凹部の深さ方向に沿って延在した仮想平面を設定し、該仮想平面により前記収納凹部の収納空間を区分したときに、前記仮想平面よりも上側の収納空間が、前記仮想平面よりも下側の収納空間よりも大きくなるように、前記収納凹部が形成されていることを特徴とする。
【００１５】
第２の発明によれば、第１の発明と同様に、仮想平面により区分される、収納凹部の上側の収納空間が下側の収納空間に比べて大きいので、上側の収納空間は、下側の収納空間に比べて、潜熱蓄熱材の収納体積が大きくなる。これにより、第１発明と同様に、溶融した潜熱蓄熱材の熱収縮時に、潜熱蓄熱材と収納凹部の底面との接触面積、潜熱蓄熱材と裏面材との接触面積を、上側および下側の収納空間を均等にしたものに比べて、より大きく確保することができるので、潜熱蓄熱材への熱伝達性を高め、その蓄熱性を向上させることができる。さらに、第１発明と同様に、潜熱蓄熱材の凝固時にこれが熱収縮したとしても、潜熱蓄熱材と、収納凹部の壁面および裏面材との接触面積が減少することを抑えることができる。
【００１６】
第２の発明のより好ましい態様としては、前記蓄熱壁パネルの前記配置状態で、前記蓄熱壁パネルの上側の収納凹部の深さが、前記蓄熱壁パネルの下側の収納凹部の深さよりも深くなるように、前記収納凹部の底面が、前記壁用基材の裏面に対して傾斜している。
【００１７】
この態様によれば、前記蓄熱壁パネルの前記配置状態で、前記収納凹部の底面が前記の如く傾斜しているので、収納凹部の上側の収納空間を下側の収納空間に比べて大きくすることができ、上述した効果をより一層発揮することができる。
【００１８】
第３の発明に係る蓄熱壁パネルは、潜熱蓄熱材と、該潜熱蓄熱材を裏面に収納する収納凹部が形成された壁用基材と、前記潜熱蓄熱材を前記収納凹部に封止するように前記収納凹部の開口部を覆う裏面材と、を少なくとも備えた蓄熱壁パネルであって、前記蓄熱壁パネルを配置した配置状態で、前記収納凹部は、前記収納凹部の収納空間の少なくとも一部を、前記収納凹部の深さ方向に沿って延在した仮想平面で切断した切断面の面積が、前記収納凹部の上側から下側に向かって減少するように、形成されていることを特徴とする。
【００１９】
第３の発明によれば、収納凹部の深さ方向に沿って延在した仮想平面で切断した切断面が、収納凹部の上側から下側に向かって減少するように、収納凹部が形成されているので、下側から上側に向かって潜熱蓄熱材の収納体積が大きくなる。これにより第１および第２発明と同様に、溶融した潜熱蓄熱材の熱収縮時に、潜熱蓄熱材と収納凹部の底面との接触面積、潜熱蓄熱材と裏面材との接触面積をより大きく確保することができる。また、収納凹部の上側から下側に向かって収納空間の体積が減少する部分を有することになるので、第１および第２の発明と同様に、収納凹部の下側から上側に向かって、収納凹部に収納された潜熱蓄熱材を凝固させることができる。この結果、潜熱蓄熱材の凝固時にこれが熱収縮したとしても、潜熱蓄熱材と、収納凹部の壁面および裏面材との接触面積が減少することを抑えることができる。
【００２０】
第１〜第３の発明の好ましい態様としては、前記潜熱蓄熱材は、前記収納凹部を充填するように、溶融状態の潜熱蓄熱材を流し込んで、凝固させたものである。この態様によれば、蓄熱壁パネルを使用した際に、収納凹部の溶融した潜熱蓄熱材が凝固したとしても、潜熱蓄熱材の熱収縮により収納凹部に形成される空隙をより小さくすることができる。
【００２１】
さらに、第１〜第３の発明の好ましい態様としては、前記蓄熱壁パネルの前記配置状態で、前記収納凹部を形成する壁面のうち、前記収納凹部の開口部の下側の周縁部から連続して形成される下側壁面は、前記壁用基材の裏面に対して傾斜している。
【００２２】
この態様によれば、下側壁面を傾斜させることにより、下側壁面の近傍の収納凹部の収納空間をより小さくし、この近傍から潜熱蓄熱材を優先的に凝固させることができる。これにより、上述したごとく、潜熱蓄熱材の凝固時にこれが熱収縮したとしても、潜熱蓄熱材と、収納凹部の底面および裏面材との接触面積が減少することを抑えることができる。
【００２３】
さらに、第１〜第３の発明の好ましい態様としては、前記収納凹部は、前記壁用基材の裏面に複数形成されている。この態様によれば、複数の収納凹部を設けることにより、潜熱蓄熱材を壁用基材に分散させることにより、より均一な蓄熱性を確保することができる。さらに、壁用基材の表面に、画鋲、押しピンなどを押し込んだ際に、複数の収納凹部のうち仮に１つの収納凹部に画鋲、押しピンなどが到達しても、その収納凹部に収納された１つの潜熱蓄熱材が結晶化したり、蒸発したりすることにより、その蓄熱性が損なわれるだけであり、その他の収納凹部の潜熱蓄熱材の蓄熱性には影響が及ばない。
【００２４】
さらに、第１〜第３の発明の好ましい態様としては、前記壁用基材の表面には、前記収納凹部から外れた位置に、前記蓄熱壁パネルを固定するための固定用目印が設けられている。
【００２５】
この態様によれば、釘またはネジなどの固定具で蓄熱壁パネルを固定する際に、固定用目印に合わせて、壁用基材の表面から固定具を壁用基材に貫通させても、固定具が収納凹部内に収納された潜熱蓄熱材に到達することはない。これにより、潜熱蓄熱材が、結晶化したり、収納凹部内から蒸発したりすることがなく、潜熱蓄熱材による蓄熱効果を保持することができる。
【発明の効果】
【００２６】
本発明によれば、収納凹部の大きさに応じた潜熱蓄熱材による蓄熱性を発揮することができるとともに、潜熱蓄熱材への熱伝達を向上させることができる。
【図面の簡単な説明】
【００２７】
【図１】第１実施形態に係る蓄熱壁パネルの裏面側から見た模式的分解斜視図である。
【図２】（ａ）は、図１に示す蓄熱壁パネルの裏面側から見た模式的斜視図であり、（ｂ）は、図１に示す蓄熱壁パネルの表面側から見た模式的斜視図である。
【図３】（ａ）は、図１に示す蓄熱壁パネルの収納凹部を示した模式的斜視図であり、（ｂ）は、（ａ）のＡ−Ａ線矢視断面図であり、（ｃ）は、（ａ）に示す収納空間を示した模式的斜視図であり、（ｄ）は、収納空間を仮想平面で切断した切断面の面積変化を示した図である。
【図４】（ａ）は、図３（ｂ）に示す収納凹部に潜熱蓄熱材を充填する方法を示した模式的断面図であり、（ｂ）は、（ａ）に示す壁用基材に裏面材を取り付ける方法を示した断面図であり、（ｃ）は、収納凹部に潜熱蓄熱材を充填する別の方法を示した図である。
【図５】（ａ）は、図１に示す蓄熱壁パネルを壁部屋側面に取付ける方法を説明した図、（ｂ）は、図１に示す蓄熱壁パネルを壁内側面に取付ける方法を説明した図である。
【図６】（ａ）〜（ｄ）は、図１に示す蓄熱壁パネル内の潜熱蓄熱材が溶融した状態から凝固するまでの状態を説明するための図である。
【図７】（ａ）は、図１に示す蓄熱壁パネルの潜熱蓄熱材の凝固状態を示した図であり、（ｂ）は、従来の蓄熱壁パネルの潜熱蓄熱材の凝固状態を示した図である。
【図８】（ａ）は、第２実施形態に係る蓄熱壁パネルの収納凹部を示した模式的斜視図であり、（ｂ）は、（ａ）のＢ−Ｂ線矢視断面図であり、（ｃ）は、（ａ）に示す収納空間を示した模式的斜視図であり、（ｄ）は、収納空間を仮想平面で切断した切断面の面積変化を示した図である。
【図９】（ａ）は、第３実施形態に係る蓄熱壁パネルの収納凹部を示した模式的斜視図であり、（ｂ）は、（ａ）のＣ−Ｃ線矢視断面図であり、（ｃ）は、（ａ）に示す収納空間を示した模式的斜視図であり、（ｄ）は、収納空間を仮想平面で切断した切断面の面積変化を示した図である。
【図１０】（ａ）は、第４実施形態に係る蓄熱壁パネルの収納凹部を示した模式的斜視図であり、（ｂ）は、（ａ）のＤ−Ｄ線矢視断面図であり、（ｃ）は、（ａ）に示す収納空間を示した模式的斜視図であり、（ｄ）は、収納空間を仮想平面で切断した切断面の面積変化を示した図である。
【図１１】第２実施形態の変形例に係る蓄熱壁パネルを、壁材として柱と間柱間に取付ける方法を説明した図である。
【図１２】（ａ）は、図１１のＥ部近傍の拡大斜視図であり、（ｂ）は、（ａ）のＦ−Ｆ線矢視断面図である。
【図１３】（ａ）〜（ｃ）は、固定用貫通孔を介して固定具により蓄熱壁パネルを柱と間柱間に取り付ける手順を説明するための図である。
【発明を実施するための形態】
【００２８】
以下、図面を参照して、本実施形態に基づき本発明を説明する。
〔第１実施形態〕
図１は、第１実施形態に係る蓄熱壁パネル１の裏面側から見た模式的分解斜視図であり、図２（ａ）は、図１に示す蓄熱壁パネル１の裏面側から見た模式的斜視図、図２（ｂ）は、図１に示す蓄熱壁パネル１の表面側から見た模式的斜視図である。
【００２９】
第１実施形態に係る蓄熱壁パネル１は、第１〜第３の発明を包括する実施形態である。図１に示すように、本実施形態に係る蓄熱壁パネル１は、潜熱蓄熱材２０と、潜熱蓄熱材２０を裏面１２に収納する収納凹部１３が形成された壁用基材１０と、を備えている。蓄熱壁パネル１は、潜熱蓄熱材２０を収納凹部１３に収納した状態で、潜熱蓄熱材２０を封止するように収納凹部１３の開口部１３ａを覆う裏面材３０をさらに備えている。
【００３０】
１．壁用基材１０について
壁用基材１０は、少なくとも床材の剛性および強度を確保するための基材であり、材料としては、木質材料、無機材料、樹脂材料などを挙げることができる。壁用基材１０が木質材料からなる場合には、壁用基材１０として、広葉樹や針葉樹からなる通常の合板、ＬＶＬ、ＬＶＢ、集成材、ＯＳＢ、ＰＢ、ＭＤＦ、さらには、これらを任意に積層した積層板、などを挙げることができる。壁用基材１０が無機材料からなる場合には、壁用基材１０として、無機繊維を集積したボード、石膏ボードなどを挙げることができる。壁用基材１０が樹脂材料からなる場合には、壁用基材１０として、塩化ビニル、アクリル、ポリエチレンテレフタレート、ポリオレフィンなどからなる板材やスチレン、ポリウレタン、ポリオレフィンなどの発泡体からなる板材を挙げることができる。
【００３１】
さらに、後述する図５（ａ）に示すように、図１に示す蓄熱壁パネル１を表側の壁部屋側面６１に取付ける際には、図２（ｂ）に示す、壁用基材１０の表面１１に、ナラ材、カバ材、ブナ材、チーク材、等の表面化粧材および化粧用表面合成樹脂シートが貼着されていてもよい。
【００３２】
壁用基材１０の裏面１２には、潜熱蓄熱材２０を収納するための複数の収納凹部１３,１３,…が形成されている。これにより、つまり潜熱蓄熱材２０を壁用基材１０に分散させることにより、後述する熱収縮による隙間を分散させ、より均一な蓄熱性を確保することができる。なお。本実施形態では、複数の収納凹部１３，１３,…を設けたが、収納凹部１３に潜熱蓄熱材２０を収納し、後述するような熱伝達性の効果を期待することができるのでれば、収納凹部の個数は特に限定されるものではない。
【００３３】
ここで、壁用基材１０が、無孔質の樹脂材料からなる板材である場合には、潜熱蓄熱材２０をそのまま収納凹部１３に収納してもよい。木質材料からなる板材、または多孔質の無機材料からなる多孔質の板材などである場合には、収納凹部１３の壁面に溶融した潜熱蓄熱材が染み込むことを防止するように、収納凹部１３の壁面に樹脂層、金属層が形成されていてもよい。また、別の態様としては、潜熱蓄熱材２０を可撓性を有した樹脂製または金属製の包袋容器に充填後これを密封し、包袋容器に密封された潜熱蓄熱材２０を壁用基材１０に収納してもよい。なお、本発明の特徴点である収納凹部１３の形状の詳細は後述する。
【００３４】
２．潜熱蓄熱材２０について
壁用基材１０の収納凹部１３に収納される潜熱蓄熱材２０は、室内の熱等を蓄熱し、固相から液相に相変化する潜熱蓄熱材であり、好ましくは相変化温度１８℃〜３０℃の範囲にある潜熱蓄熱材である。
【００３５】
具体的には、硫酸ナトリウム水和物、塩化カルシウム水和物、パラフィン（たとえばＣ１８Ｈ３８）、ポリエチレングリコール（分子量５００〜１０００）などを挙げることができ、この相変化温度以上において蓄熱することができるものであれば、その材料は特に限定されるものではない。この他にも潜熱蓄熱材２０に、硫酸ナトリウム１０水和塩、または、ＪＳＲ（株）製のカルグリップ、三木理研工業（株）製の高粘度カプセル、三菱電線工業（株）製の潜熱蓄熱材ＭＨＳＲシリーズなど、相変化温度以上でゲル状となる潜熱蓄熱材を用いてもよい。
【００３６】
また、上述したごとく、潜熱蓄熱材２０を可撓性を有した樹脂製または金属製の包袋容器に充填した後これを封止し、包袋容器に封止された潜熱蓄熱材２０を壁用基材１０の収納凹部１３に収納してもよい。
【００３７】
３．裏面材３０について
裏面材３０は、潜熱蓄熱材２０を収納凹部１３に封止するように収納凹部１３の開口部１３ａを覆うものである。裏面材３０としては、例えば、ポリエチレンテレフタレート、ナイロン、ポリプロピレンなどの熱可塑性樹脂フィルム、再生ソール不織布などの耐油シート、またはアルミニウム箔などの金属製シート等、液化した潜熱蓄熱材に対して非透過性を有した材料を挙げることができる。
【００３８】
裏面材３０は、接着剤等を介して壁用基材１０の裏面１２に貼着される。または、裏面材３０の一部（例えば熱可塑性樹脂）を溶融して壁用基材１０の裏面１２に裏面材３０を貼着（融着）させてもよい。このような裏面材３０を設けることにより、相変化時に液化または軟化した潜熱蓄熱材２０が裏面材３０から浸み出したり、流れ出たりすることを防止することができる。
【００３９】
４．壁用基材１０の収納凹部１３について
第１実施形態に係る壁用基材１０の収納凹部１３は、第１〜第３の発明のすべての特徴となる構成を包括している。以下に、壁用基材１０の収納凹部１３を詳述する。図３（ａ）は、図１に示す蓄熱壁パネル１の収納凹部１３を示した模式的斜視図であり、図３（ｂ）は、図３（ａ）のＡ−Ａ線矢視断面図であり、図３（ｃ）は、図３（ａ）に示す収納空間を示した模式的斜視図であり、図３（ｄ）は、収納空間を仮想平面で切断した切断面の面積変化を示した図である。
【００４０】
これらの図面は、蓄熱壁パネル１を壁下地である壁部屋側面、または壁内側面に配置した状態における収納凹部１３を示した図である。なお、本明細書でいう「上側」、「下側」とは、壁用基材１０の裏面を水平面に対して交差するように（本実施形態では直角に交差するように）蓄熱壁パネル１を配置した状態の各部位の位置関係のことをいう。
【００４１】
本実施形態では、図３（ａ）〜（ｃ）に示すように、潜熱蓄熱材２０が充填（収納）される収納凹部１３は、壁用基材１０の裏面１２に形成されている。収納凹部１３には、開口部１３ａが形成されており、開口部１３ａの周縁部１３ｂから連続して上側壁面１４、下側壁面１５、および一対の横側壁面１６，１６が形成され、これらの壁面に連続して底面１７が形成されている。なお、収納凹部１３は、掘り込み加工、成形加工等、一般的な方法で壁用基材１０の裏面１２に成形することができる。
【００４２】
ここで、本実施形態では、第１の発明の特徴点をその一例として含む。具体的には、図３（ａ）,（ｂ）に示すように、収納凹部１３の上側壁面１４、下側壁面１５、および一対の横側壁面１６，１６は、壁用基材１０の裏面１２に対して直角方向に延在している。収納凹部１３の底面１７は、蓄熱壁パネル１の上側の収納凹部の深さＤＵが、蓄熱壁パネル１の下側の収納凹部の深さＤＢよりも深くなるように、壁用基材１０の裏面１２に対して傾斜している。
【００４３】
また、本実施形態では、第２の発明の特徴点をその一例として含む。具体的には、図３（ｃ）に示すように、蓄熱壁パネル１を配置した状態で、収納凹部１３の開口部１３ａの面積を上下に二等分するように、収納凹部１３の深さ方向ｄに沿って延在した仮想平面Ｐを設定する。この設定した仮想平面Ｐにより収納凹部１３の収納空間Ｓを区分したときに、仮想平面Ｐよりも上側の収納空間ＳＵが、仮想平面Ｐよりも下側の収納空間ＳＢよりも大きくなるように、収納凹部１３が形成されている。収納凹部１３の深さ方向ｄとは、壁用基材１０の裏面１２の法線方向に一致する方向である。
【００４４】
さらに、本実施形態では、第３の発明の特徴点をその一例として含む。図３（ｃ）および（ｄ）に示すように、収納凹部１３は、収納凹部１３の収納空間Ｓを、収納凹部１３の深さ方向ｄに沿って延在した仮想平面で切断した切断面Ａの面積が、収納凹部１３の上側（上側壁面１４）から下側（下側壁面１５）に向かって減少するように、形成されている。なお、図３（ｃ）では、仮想平面Ｐが、上側壁面１４と下側壁面１５との中央に位置するときの切断面Ａの面積を示している。
【００４５】
５．収納凹部１３への潜熱蓄熱材２０の充填方法について
このような収納凹部１３内に、潜熱蓄熱材２０を収納する。壁用基材１０の収納凹部１３に潜熱蓄熱材２０を収納することができるのであれば、その収納方法は特に限定されるものではないが、本実施形態では、以下に示すようにして潜熱蓄熱材２０を収納凹部１３に収納する。
【００４６】
図４（ａ）は、図３（ｂ）に示す収納凹部１３に潜熱蓄熱材２０を充填する方法を示した模式的断面図であり、図４（ｂ）は、図４（ａ）に示す壁用基材１０に裏面材３０を取り付ける方法を示した断面図であり、図４（ｃ）は、収納凹部１３に潜熱蓄熱材２０を充填する別の方法を示した図である。なお、図４（ｂ）では、溶融状態の潜熱蓄熱材２０Ａが凝固したときに生じる熱収縮により収納凹部１３内に形成される隙間は省略している。
【００４７】
図４（ａ）に示すように、本実施形態では、ノズル９から溶融状態の潜熱蓄熱材２０Ａを収納凹部１３に放出し、溶融状態の潜熱蓄熱材２０Ａを収納凹部１３に充填するように、溶融状態の潜熱蓄熱材２０Ａを流し込み、これを凝固させる。その後、図４（ｂ）に示すように、凝固状態の潜熱蓄熱材２０Ｂを収納した状態で、壁用基材１０の裏面に、たとえば接着剤等を介して裏面材３０をホットブレスなどで貼着する。
【００４８】
このようにして、蓄熱壁パネル１を使用した際には、収納凹部１３内には、隙間なく溶融状態の潜熱蓄熱材２０Ａが充填されることになる。これにより、収納凹部１３の溶融状態の潜熱蓄熱材２０Ａが凝固したとしても、潜熱蓄熱材２０Ａの熱収縮により収納凹部に形成される空隙をより小さくすることができる。
【００４９】
また、別の方法としては、図４（ｃ）に示すように、ノズル９による注入口３１と、空気抜き孔３２が形成された裏面材３０を、壁用基材１０の裏面１２に貼着した後、注入口３１からノズル９により、収納凹部１３に溶融状態の潜熱蓄熱材２０Ａを充填してもよい。潜熱蓄熱材２０Ａを収納凹部１３に充填後、注入口３１と、空気抜き孔３２とをシール材などで封止する。この態様によれば、裏面材３０が覆われた収納凹部１３内に、より隙間なく溶融状態の潜熱蓄熱材２０Ａを充填することができる。
【００５０】
６．蓄熱壁パネル１の適用およびその作用効果
このようにして製造された蓄熱壁パネル１を壁面に取付ける。図５（ａ）は、図１に示す蓄熱壁パネル１を壁部屋側面６１に取付ける方法を説明した図であり、図５（ｂ）は、図１に示す蓄熱壁パネル１を壁内側面６２に取付ける方法を説明した図である。
【００５１】
図５（ａ）、（ｂ）に示すように、大壁下地材６は、柱７Ａ，間柱７Ｂ間に固定されている。大壁下地材６の表面のうち、室内に面した壁部屋側面６１に、蓄熱壁パネル１を取り付ける際には、図５（ａ）に示すように、蓄熱壁パネル１の裏面材３０を壁部屋側面６１に接触させた状態で、釘またはネジ等の固定具７０を用いて、表面側から大壁下地材６に取付ける。この際には、室内に面した蓄熱壁パネル１の表面１１に、固定具を覆うように、化粧用合成樹脂シートなどの表面化粧シートがさらに貼着されていてもよい。
【００５２】
一方、図５（ｂ）に示すように、大壁下地材６の表面のうち、室内に面していない壁内側面６２に、蓄熱壁パネル１を取り付ける際には、蓄熱壁パネル１の裏面材３０を壁部屋側面６１に接触させた状態で、釘またはネジ等の固定具７０を用いて大壁下地材６に取付ける。
【００５３】
このようにして取り付けた蓄熱壁パネル１は、以下の効果を期待することができる。図６（ａ）〜（ｄ）は、図１に示す蓄熱壁パネル１内の潜熱蓄熱材２０が溶融した状態から凝固するまでの状態を説明するための図である。図７（ａ）は、図１に示す蓄熱壁パネル１の潜熱蓄熱材２０の凝固状態を示した図であり、図７（ｂ）は、従来の蓄熱壁パネル８の潜熱蓄熱材２０の凝固状態を示した図である。
【００５４】
壁用基材１０の収納凹部１３に収納された潜熱蓄熱材２０（２０Ａ）は、製造段階で、収納凹部１３に溶融状態で充填されたので、図６（ａ）に示すように、使用時に溶融状態の潜熱蓄熱材２０Ａは、殆ど隙間なく収納凹部１３に充填される。
【００５５】
この状態から、溶融状態の潜熱蓄熱材２０Ａが冷却されると、図６（ｂ）に示すように、その外側から放熱されるので、外側に凝固状態の潜熱蓄熱材２０Ｂが形成される。このとき、収納凹部１３の底面１７は傾斜しているので、溶融状態の潜熱蓄熱材２０Ａの自重が作用するため、底面１７近傍の凝固状態の潜熱蓄熱材２０Ｂは、底面１７に押圧される。これにより、底面１７と凝固状態の潜熱蓄熱材２０Ｂとの間に、熱収縮による隙間の形成が低減される。
【００５６】
さらに、図６（ｂ）の状態から、溶融状態の潜熱蓄熱材２０Ａの凝固が進むと、図６（ｃ）に示すように、収納凹部１３の上側の収納空間ＳＵの潜熱蓄熱材に比べて、下側の収納空間ＳＢの潜熱蓄熱材２０Ａが先に凝固し（凝固状態の潜熱蓄熱材２０Ｂとなり）、最後に収納体積の大きい上側の収納空間ＳＵの潜熱蓄熱材２０Ａが凝固する（凝固状態の潜熱蓄熱材２０Ｂとなる）。
【００５７】
このような結果、図６（ｄ）に示すように、下側から上側に向かって順に、溶融状態の潜熱蓄熱材２０Ａは、収納凹部１３の底面１７および裏面材３０と接触しながら凝固する。これにより、潜熱蓄熱材２０Ａの凝固時にこれが熱収縮したとしても、図７（ｂ）に示す従来の収納凹部８３の底面８７を傾斜させず、その深さを均一にしたものに比べて、潜熱蓄熱材２０と、収納凹部１３の底面１７および裏面材３０との接触面積の減少を抑制することができる。
【００５８】
本実施形態では、図７（ａ）に示すように、収納凹部１３の底面１７が前述したごとく傾斜しているので、収納凹部１３の上側の収納空間ＳＵは下側の収納空間ＳＢに比べて大きくなり（図３（ｃ）参照）、上側の収納空間ＳＵは、下側の収納空間ＳＢに比べて、潜熱蓄熱材２０の収納体積が大きくなる。
【００５９】
これにより、溶融した潜熱蓄熱材２０が凝固したときに、潜熱蓄熱材２０Ｂの熱収縮により潜熱蓄熱材２０と収納凹部１３との間に形成される上側の上下方向の隙間Ｃ１は、図７（ｂ）に示す傾斜した底面８７を設けていない場合の上下方向の隙間Ｃ２に比べて小さくなる。
【００６０】
このような結果、潜熱蓄熱材２０と収納凹部１３の底面１７との接触面積、潜熱蓄熱材と裏面材との接触面積を、傾斜した底面を設けていないものに比べて、より大きく確保することができるので、潜熱蓄熱材２０への熱伝達性を向上させることができる。
【００６１】
〔第２実施形態〕
図８（ａ）は、第２実施形態に係る蓄熱壁パネル１の収納凹部１３を示した模式的斜視図であり、図８（ｂ）は、図８（ａ）のＢ−Ｂ線矢視断面図であり、図８（ｃ）は、図８（ａ）に示す収納空間Ｓを示した模式的斜視図であり、図８（ｄ）は、収納空間Ｓを仮想平面Ｐで切断した切断面Ａの面積変化を示した図である。
【００６２】
第２実施形態に係る蓄熱壁パネル１が、第１実施形態のものと相違する点は、壁用基材１０の収納凹部１３の形状である。よって、以下に、収納凹部１３の形状のみを説明し、その他の詳細な説明は省略する。第２実施形態に係る蓄熱壁パネル１も、第１〜第３の発明を包括する実施形態である。
【００６３】
本実施形態では、図８（ａ）,（ｂ）に示すように、潜熱蓄熱材２０が充填（収納）される収納凹部１３は、第１実施形態と同様に、壁用基材１０の裏面１２に形成されている収納凹部１３には、開口部１３ａが形成されている。本実施形態では、第１実施形態と異なり、開口部１３ａの周縁部のうち、上側の周縁部１３ｃから連続して形成される上側壁面１４は、壁用基材１０の裏面１２に対して傾斜している。同様に、開口部１３ａの周縁部のうち、下側の周縁部１３ｄから連続して形成される下側壁面１５は、壁用基材１０の裏面１２に対して傾斜している。
【００６４】
図８（ａ）,（ｂ）に示すように、本実施形態も第１実施形態と同様に、一対の横側壁面１６，１６は、壁用基材１０の裏面１２に対して直角方向に延在している。収納凹部１３の底面１７は、蓄熱壁パネル１の上側の収納凹部の深さＤＵが、蓄熱壁パネル１の下側の収納凹部の深さＤＢよりも深くなるように、壁用基材１０の裏面１２に対して傾斜している。
【００６５】
また、図８（ｃ）に示すように、蓄熱壁パネル１を配置した配置状態で、収納凹部１３の開口部１３ａの面積を上下に二等分するように、収納凹部１３の深さ方向ｄに沿って延在した仮想平面Ｐを設定する。この設定した仮想平面Ｐにより収納凹部１３の収納空間Ｓを区分したときに、仮想平面Ｐよりも上側の収納空間ＳＵが、仮想平面Ｐよりも下側の収納空間ＳＢよりも大きくなるように、収納凹部１３が形成されている。
【００６６】
さらに、図８（ｃ）および（ｄ）に示すように、収納凹部１３は、収納凹部１３の収納空間Ｓの一部（具体的には底面１７および下側壁面１５を含む収納空間）を、収納凹部１３の深さ方向ｄに沿って延在した仮想平面で切断した切断面Ａの面積が、収納凹部１３の上側から下側に向かって減少するように、形成されている。なお、図８（ｃ）では、仮想平面Ｐが、上側の周縁部１３ｃと下側の周縁部１３ｄと間の中央に位置するときの切断面Ａの面積を示している。
【００６７】
このように、本実施形態では、第１実施形態と同様に、上側および下側の収納凹部の深さＤＵ，ＤＢの関係を満たす底面１７を設け、上側および下側の収納空間ＳＵ，ＳＢの関係を満たし、その一部で切断面Ａの面積変化の条件を満たすので、上述した第１実施形態と同様の効果を期待することができる。
【００６８】
さらに、本実施形態では、上述した第１実施形態で示した作用効果に加えて、さらに、下側壁面１５を、壁用基材１０の裏面１２に対して傾斜させたので、下側壁面１５の近傍の収納凹部１３の収納空間をより小さくし、この近傍から潜熱蓄熱材２０を優先的に凝固させることができる。これにより、潜熱蓄熱材２０と、収納凹部１３の底面１７および裏面材３０との接触面積の減少をより一層抑えることができる。
【００６９】
〔第３実施形態〕
図９（ａ）は、第３実施形態に係る蓄熱壁パネル１の収納凹部１３を示した模式的斜視図であり、図９（ｂ）は、図９（ａ）のＣ−Ｃ線矢視断面図であり、図９（ｃ）は、図９（ａ）に示す収納空間Ｓを示した模式的斜視図であり、図９（ｄ）は、収納空間Ｓを仮想平面Ｐで切断した切断面Ａの面積変化を示した図である。
【００７０】
第３実施形態に係る蓄熱壁パネル１が、第１実施形態のものと相違する点は、壁用基材１０の収納凹部１３の形状である。よって、以下に、収納凹部１３の形状のみを説明し、その他の詳細な説明は省略する。第３実施形態に係る蓄熱壁パネル１は、第２および第３の発明を包括する実施形態である。
【００７１】
本実施形態では、図９（ａ）,（ｂ）に示すように、第１実施形態と異なり、開口部１３ａの周縁部のうち、下側の周縁部１３ｄから上側壁面１４に向かって、傾斜した傾斜壁面１８が形成されている。なお、本実施形態では、上側壁面１４は、壁用基材１０の裏面１２に対して直角方向に延在しているが、これが第２実施形態の如く傾斜していてもよい。
【００７２】
本実施形態では、第１実施形態と同様に、図９（ｃ）に示すように、仮想平面Ｐにより収納凹部１３の収納空間Ｓを区分したときに、仮想平面Ｐよりも上側の収納空間ＳＵが、仮想平面Ｐよりも下側の収納空間ＳＢよりも大きくなるように、収納凹部１３が形成されている。
【００７３】
さらに、図９（ｃ）および（ｄ）に示すように、収納凹部１３は、傾斜壁面１８により形成される収納空間Ｓを、収納凹部１３の深さ方向ｄに沿って延在した仮想平面で切断した切断面Ａの面積が、収納凹部１３の上側（上側壁面１４）から下側（下側の周縁部１３ｄ）に向かって減少するように、形成されている。なお、図９（ｃ）では、仮想平面Ｐが、上側の周縁部１３ｃと下側の周縁部１３ｄとの間の中央に位置するときの切断面Ａの面積を示している。
【００７４】
このように、本実施形態では、第１実施形態と同様に、上側および下側の収納空間ＳＵ，ＳＢの関係を満たし、切断面Ａの面積変化の条件を満たすので、上述した第１実施形態と同様の効果を期待することができる。
【００７５】
〔第４実施形態〕
図１０（ａ）は、第４実施形態に係る蓄熱壁パネル１の収納凹部１３を示した模式的斜視図であり、図１０（ｂ）は、図１０（ａ）のＤ−Ｄ線矢視断面図であり、図１０（ｃ）は、図１０（ａ）に示す収納空間Ｓを示した模式的斜視図であり、図１０（ｄ）は、収納空間Ｓを仮想平面Ｐで切断した切断面Ａの面積変化を示した図である。
【００７６】
第４実施形態に係る蓄熱壁パネル１が、第１実施形態のものと相違する点は、壁用基材１０の収納凹部１３の形状である。よって、以下に、収納凹部１３の形状のみを説明し、その他の詳細な説明は省略する。第４実施形態に係る蓄熱壁パネル１は、第３の発明に係る実施形態である。
【００７７】
本実施形態では、図１０（ａ）〜（ｄ）に示すように、第１実施形態と異なり、収納凹部１３の底面１７が、壁用基材１０の裏面１２と平行であり、収納凹部１３の収納空間Ｓを、収納凹部１３の深さ方向ｄに沿って延在した仮想平面で切断した切断面Ａの面積が、収納凹部１３の上側から下側に向かって減少するように、一対の横側壁面１６Ａ，１６Ｂが形成されている。本実施形態では、第１実施形態と同様に、切断面Ａの面積変化の条件を満たすので、上述した第１実施形態と同様の効果を期待することができる。
【００７８】
７．さらなる蓄熱壁パネルの変形例について
上述した図５（ａ），（ｂ）では、蓄熱壁パネル１を、釘またはネジ等の固定具７０で固定する際には、固定具７０を蓄熱壁パネル１に貫通させる。このとき、固定具７０が、壁用基材１０の収納凹部１３内に収納された潜熱蓄熱材２０に到達すると、潜熱蓄熱材２０が、結晶化したり、収納凹部１５内から蒸発したりすることが想定される。このような点を鑑みて、以下の変形例を開示する。
【００７９】
図１１は、第２実施形態の変形例に係る蓄熱壁パネル１を、壁材として柱７Ａと間柱７Ｂとの間に取付ける方法を説明した図である。図１２（ａ）は、図１１のＥ部近傍の拡大斜視図であり、（ｂ）は、（ａ）のＦ−Ｆ線矢視断面図である。図１３（ａ）〜（ｃ）は、固定用貫通孔７２を介して固定具７０により蓄熱壁パネル１を柱７Ａと間柱７Ｂとの間に取り付ける手順を説明するための図である。
【００８０】
図１１に示すように、の変形例に係る蓄熱壁パネル１の壁用基材１０の表面１１には、収納凹部１３から外れた位置に、蓄熱壁パネル１を固定するための固定用貫通孔７２（固定用目印）が設けられている。蓄熱壁パネル１は、固定用貫通孔７２を介して、釘またはビスなどの固定具７０で固定される。
【００８１】
図１２（ａ）および図１３（ａ），（ｂ）に示すように、固定用貫通孔７２は、蓄熱壁パネル１の厚さ方向に貫通した孔であり、固定具７０の軸部７０ａよりも口径の小さい通し孔７２ａと、固定具７０の頭部７０ｂが収容される凹部７２ｂを有している。
【００８２】
蓄熱壁パネル１を柱７Ａと間柱７Ｂに固定する際には、柱７Ａ間柱７Ｂに蓄熱壁パネル１を当接させ、固定用貫通孔７２を介して、柱７Ａと間柱７Ｂの表面が視認できることを確認する（図１３（ａ）参照）。
【００８３】
次に、固定具７０の頭部７０が凹部７２ｂに収容されるまで、固定具７０を柱７Ａと間柱７Ｂに向かって押し込み、固定具７０の軸部７０ａを固定用貫通孔７２の通し孔７２ａに通過させ、柱７Ａと間柱７Ｂに到達させる（図１３（ｂ）参照）。
【００８４】
最後に、蓋体７３の表面が壁用基材１１の表面１１と一致するように、凹部７２ｂの形状に応じた蓋体７３を嵌め込み、その上に、壁用基材１１の表面１１に、化粧用合成樹脂シートなどの表面化粧シート７５を貼り付ける（図１３（ｃ）参照）。
【００８５】
このように、固定具７０で蓄熱壁パネル１を固定する際に、固定用貫通孔７２に合わせて、壁用基材１０の表面１１から固定具７０を壁用基材１１に貫通させても、固定具７０が収納凹部１３内に収納された潜熱蓄熱材２０に到達することはない。これにより、潜熱蓄熱材２０が、結晶化したり、収納凹部内から蒸発したりすることがなく、潜熱蓄熱材２０による蓄熱効果を保持することができる。
【００８６】
さらに、この変形例では、固定用貫通孔７２は、壁用基材１１と裏面材３０とを貫通した孔であるので、固定具７０による固定時に、裏面材３０が壁用基材１１から剥がれる方向に力がかかり難い。これにより、施工時における、蓄熱壁パネル１の信頼性を高めることができる。
【００８７】
なお、本実施形態では、固定用目印は、固定用貫通孔７２であったが、収納凹部１３から外れた位置に、色を付与した目印、蓄熱壁パネル１を貫通させていない穴または凹部などの目印を設けてもよい。
【００８８】
さらに、この変形例に係る蓄熱壁パネル１は、円形状の収納凹部１３に、潜熱蓄熱材２０を充填しており、上述した蓄熱壁パネル（例えば図１参照）に比べて、１つあたりの収納凹部１３の収納空間を小さくすることにより、より多くの数の収納凹部１３を形成している。これにより、蓄熱壁パネル１内に、より少量の潜熱蓄熱材２０を区分して（分散して）、蓄熱壁パネルの配置することができる。
【００８９】
このような結果、壁用基材１０の表面１１に、画鋲、押しピンなどを押し込んだ際に、複数の収納凹部１３，１３…のうち仮に１つの収納凹部１３に画鋲、押しピンなどが到達しても、その収納凹部１３に収納された１つの潜熱蓄熱材２０が結晶化したり、蒸発したりすることにより、その蓄熱性が損なわれるだけであり、その他の収納凹部１３，１３…の潜熱蓄熱材２０，２０…の蓄熱性には影響が及ばない。
【００９０】
なお、図１２（ｂ）に示すように、この変形例では、図８（ｂ）に示す第２実施形態に係る収納凹部１３の断面形状に類似している。この変形例では、収納凹部１３の底面１７に、さらに保護部材４０が配置されている。保護部材４０は、上述した壁用基材１０の表面１１から押し込まれた画鋲、押しピンなどが、潜熱蓄熱材２０に到達することを防止する部材である。
【００９１】
例えば、保護部材４０は、アルミニウムなどの金属プレートや樹脂プレートなどであってもよく、押し込まれた画鋲、押しピンの先端に追従するように、変形する延伸性の高い高分子樹脂シートであってもよい。これにより、画鋲、押しピンなどが、壁用基材１０の表面１１から潜熱蓄熱材２０に到達することを防止することができる。
【００９２】
また、この他にも、保護部材４０の代わりに、画鋲、押しピンなどが、潜熱蓄熱材２０に到達したとしても、潜熱蓄熱材２０が収納凹部１３から抜け出さないように、画鋲、押しピンなどにより形成された壁用基材１０の孔を封止するゴムまたはシーラントなどを配置してもよい。これにより、画鋲、押しピンなどが、壁用基材１０の表面１１から潜熱蓄熱材２０に到達したとしても、収納凹部１３から潜熱蓄熱材２０の結晶化・蒸発を抑えることができる。
【００９３】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【符号の説明】
【００９４】
１：蓄熱壁パネル
６：大壁下地材
７Ａ：柱
７Ｂ：間柱
１０：壁用基材
１１：壁用基材の表面
１２：壁用基材の裏面
１３：収納凹部
１３ａ：収納凹部の開口部
１３ｂ：収納凹部の周縁部
１７：収納凹部の底面
１４：収納凹部の上側壁面
１６：収納凹部の横側壁面
２０：潜熱蓄熱材
３０：裏面材
４０：保護部材
３１：注入口
３２：空気抜き孔
６１：壁部屋側面
６２：壁内側面
７０：固定具
７２：固定用貫通孔（固定用目印）
７３：蓋体
７５：表面化粧シート
【図１】
0006595313.tif 000002
【図２】
0006595313.tif 000003
【図３】
0006595313.tif 000004
【図４】
0006595313.tif 000005
【図５】
0006595313.tif 000006
【図６】
0006595313.tif 000007
【図７】
0006595313.tif 000008
【図８】
0006595313.tif 000009
【図９】
0006595313.tif 000010
【図１０】
0006595313.tif 000011
【図１１】
0006595313.tif 000012
【図１２】
0006595313.tif 000013
【図１３】
0006595313.tif 000014